(57)【要約】【課題】緩み止めナットに関し、簡素な構成で、温度や経過時間の影響を受けにくく安定した緩み止め効果を得ることができるようにする。【解決手段】ロッドに締結されて、該ロッドに環装されるピストンを該ロッドの軸線方向へ押圧し該ピストンを固定する緩み止めナット５であって、該ロッドの該軸線方向における該ピストンとの接触面の反対面５ｂにおいて、反対面５ｂに略垂直に穿孔形成された一対の縦穴部１ａ，１ａ、及び、一対の縦穴部１ａ，１ａの間を連通する面状の空洞として形成された連結部１ｂからなる長穴１と、緩み止めナット５の外周面と長穴１の連結部１ｂとを連通するように筒状に穿孔されるとともに、該筒状の孔壁に雌ねじ溝２ａを形成された雌ねじ穴２と、雌ねじ溝２ａに螺合する雄ねじ溝３ａを外周面に有して雌ねじ穴２に締結されるセットスクリュー３とを備える。【選択図】図１
2007232037.tif 000002
【特許請求の範囲】
【請求項１】
軸部材に締結されて、該軸部材に環装される被固定体を該軸部材の軸線方向へ押圧し該被固定体を固定する緩み止めナットであって、
該軸部材の該軸線方向における該被固定体との接触面の反対面において、該反対面に略垂直に穿孔形成された一対の縦穴部、及び、該一対の縦穴部の間を連通する面状の空洞として形成された連結部からなる長穴と、
該緩み止めナットの外周面と該長穴の該連結部とを連通するように筒状に穿孔されるとともに、該筒状の孔壁に雌ねじ溝を形成された雌ねじ穴と、
該雌ねじ溝に螺合する雄ねじ溝を外周面に有して該雌ねじ穴に締結される固定部材と
を備えたことを特徴とする、緩み止めナット。
【請求項２】
該一対の縦穴部の各々が、該軸部材の中心軸に対して略等距離となる位置において、略円形の穴形状の丸穴として穿孔形成されるとともに、
該連結部が、該一対の縦穴部の孔芯同士を連結する平面状に切削形成される
ことを特徴とする、請求項１記載の緩み止めナット。
【請求項３】
該長穴及び該雌ねじ穴が、該軸部材の該反対面において、該軸部材の中心軸の周囲に略等間隔に複数設けられている
ことを特徴とする、請求項１又は２記載の緩み止めナット。
【請求項４】
該長穴及び該雌ねじ穴が、該軸部材の該反対面近傍に形成されている
ことを特徴とする、請求項１〜３の何れか１項に記載の緩み止めナット。
【請求項５】
内部に作動流体を充填された中空円筒状のシリンダと、該シリンダの軸線方向に沿って該シリンダの外部から内部へ挿通された軸状のロッドと、該シリンダの内周面に摺接するように該ピストンロッドに環装されたピストンとを備えた流体圧シリンダにおいて、該ピストンロッドに締結されるとともに該ピストンを該ロッドの軸線方向へ押圧し該ピストンを固定するための緩み止めナットであって、
該ロッドの該軸線方向における該ピストンとの接触面の反対面において、該反対面に略垂直に穿孔形成された一対の縦穴部、及び、該一対の縦穴部の間を連通する面状の空洞として形成された連結部からなる長穴と、
該緩み止めナットの外周面と該長穴の該連結部とを連通するように筒状に穿孔されるとともに、該筒状の孔壁に雌ねじ溝を形成された雌ねじ穴と、
該雌ねじ溝に螺合する雄ねじ溝を外周面に有して該雌ねじ穴に締結される固定部材と
を備えたことを特徴とする、緩み止めナット。
【発明の詳細な説明】
【技術分野】
【０００１】
本発明は、油圧シリンダのピストンをピストンロッドに固定するのに用いて好適な緩み止めナットに関する。
【背景技術】
【０００２】
従来より、ボルト，ロッド等の軸部材に固定されるナット，ピストン等の被固定体の緩み止めを行うための緩み止めナットが知られている。
例えば、特許文献１には、ナイロン製で円盤状の緩み止め部材をナット本体のねじ穴内周面に備えたものが開示されている。すなわち、ナット本体をボルトに締結したときに、緩み止め部材の弾性力によって静止摩擦力を発生させ、ナット本体がボルトに対して緩まないようにしたものである。作業機械の分野では、油圧機構によってピストンを摺動させる油圧シリンダにおいて、この種の緩み止めナットが適用されたものがある。
【０００３】
従来より利用されている油圧シリンダの緩み止めナットの一例を図６，７に示す。図６は、従来の油圧シリンダを部分的に切断して示す斜視図であり、図７は図６に示す破線円部分を拡大して示した断面図である。
図６に示すように、この油圧シリンダ１０は、内部に作動油を充填されたシリンダ８と、シリンダ８内の作動油圧に応じた駆動力をシリンダ８外部へ伝達する軸状のピストンロッド７とを備えている。
【０００４】
ピストンロッド７の一端には、他端側よりも縮径された軸の外周面にねじ溝７ａが形成され、その一端側から円環状のピストン６が嵌装されている。また、ピストン６よりもさらに端部側にはナイロンナット９が締結されて、ピストン６がピストンロッド７に固定されている。
ナイロンナット９は、図７に示すように、ピストンロッド７のねじ溝７ａに螺合する金属部９ａと、金属部９ａの端部に形成された内溝９ｂの内部に嵌め込まれたナイロン部９ｃとから構成される。ナイロン部９ｃは、ピストンロッド７の外周を覆うように環状に形成されており、ナイロンナット９の締結時にピストンロッド７のねじ溝７ａによって拡径方向へ圧縮されながら切削されて、ねじ溝７ａの形状に略完全に合致する溝が形作られるようになっている。
【０００５】
したがって、ナイロンナット９の締め付け完了時にはピストンロッド７とナイロンナット９との摩擦力が確保されて緩み止めがなされる。なお、ナイロンナット９の締め付けトルクを管理することにより、ピストンロッド７に軸線方向の初期張力が生じるため、ピストン６とピストンロッド７との離反も防止される。このように、ナイロン製の緩み止め部材を備えた緩み止めナットを用いれば、比較的安価に緩み止め効果を得ることができる。
【特許文献１】特開平８−２９６６２６号公報
【発明の開示】
【発明が解決しようとする課題】
【０００６】
しかしながら、上述のようなナイロンナット９では、ナイロン部９ｃを内溝９ｂに組み込む際に、半径方向にガタがあり、締結時における金属部９ａとナイロン部９ｃとの間の螺合芯のミスアラインメントが生じやすい。このようなミスアラインメントによりナイロンナット９の締結の過程でナイロン部９ｃの切削抵抗がばらつき、ナイロン部９ｃ自体にクラックが発生すると、充分な緩み止め効果が得られないおそれがある。
【０００７】
また、ナイロンナット９の締結時にはナイロン部９ｃがピストンロッド７のねじ溝７ａによって切削されるため、切削によって生じたナイロン片がコンタミとなってシリンダ８内部に残留することも考えられる。この場合、ピストン６とシリンダ８との間に噛み込んで油圧シリンダ１０の円滑な伸縮運動が阻害されかねない。
また、ナイロン素材の物性に着目すると、図８（ａ）に示すように、一般的にその弾性率は高温になるに連れて低下する。つまり、シリンダ８内の作動油温が高くなるほどナイロン部９ｃによる弾性力が低下するため、ナイロンナット９の緩み止め効果が低下してしまう。
【０００８】
さらに、ナイロンのような高分子材料は、継続的に外力を与え続けることによって、たとえその外力が降伏点未満の大きさであっても、時間の経過と共に塑性変形（クリープ変形）を生じることが知られている。特に、高温，高応力状態では、図８（ｂ）に示すように、ナイロン素材のクリープ特性が大きく変化する。そのため、内部が高温，高応力になりうる油圧シリンダ１０にナイロンナット９を適用したような場合には、時間経過とともにナイロン部９ｃに永久歪みが生じ、緩み止め効果が低下するおそれもある。
【０００９】
本発明は、このような課題に鑑みてなされたもので、簡素な構成で、温度や経過時間の影響を受けにくく安定した緩み止め効果を得ることができるようにした、緩み止めナットを提供することを目的とする。
【課題を解決するための手段】
【００１０】
上記目的を達成するため、請求項１記載の本発明の緩み止めナットは、軸部材（ロッド）に締結されて、該軸部材に環装される被固定体（ピストン）を該軸部材の軸線方向へ押圧し該被固定体を固定する緩み止めナットであって、該軸部材の該軸線方向における該被固定体との接触面の反対面において、該反対面に略垂直に穿孔形成された一対の縦穴部、及び、該一対の縦穴部の間を連通する面状の空洞として形成された連結部からなる長穴と、該緩み止めナットの外周面と該長穴の該連結部とを連通するように筒状に穿孔されるとともに、該筒状の孔壁に雌ねじ溝を形成された雌ねじ穴と、該雌ねじ溝に螺合する雄ねじ溝を外周面に有して該雌ねじ穴に締結される固定部材（セットスクリュー）とを備えたことを特徴としている。
【００１１】
なお連結部は、一対の縦穴部同士を連結するようなスリットとして形成されている。また、雌ねじ穴の孔芯は、緩み止めナットの内周面（軸部材との締結面）に対し略垂直となることが好ましい。
請求項２記載の本発明の緩み止めナットは、該一対の縦穴部の各々が、該軸部材の中心軸に対して略等距離となる位置において、略円形の穴形状（軸部材の中心軸に垂直な切断形状が略円形の穴形状）の丸穴として穿孔形成されるとともに、該連結部が、該一対の縦穴部の孔芯同士を連結する平面状に切削形成されることを特徴としている。
【００１２】
つまりこの場合、長穴が、軸部材の中心軸に対して垂直な断面形状をダンベル状に形成されていることになる。
また、該長穴及び該雌ねじ穴が、該軸部材の該反対面において、該軸部材の中心軸の周囲に略等間隔に複数設けられていることが好ましい（請求項３）。
また、該長穴及び該雌ねじ穴が、該軸部材の該反対面近傍に形成されていることが好ましい（請求項４）。
【００１３】
請求項５記載の本発明の緩み止めナットは、内部に作動流体を充填された中空円筒状のシリンダと、該シリンダの軸線方向に沿って該シリンダの外部から内部へ挿通された軸状のロッドと、該シリンダの内周面に摺接するように該ピストンロッドに環装されたピストンとを備えた流体圧シリンダ（例えば、油圧シリンダ）において、該ピストンロッドに締結されるとともに該ピストンを該ロッドの軸線方向へ押圧し該ピストンを固定するための緩み止めナットであって、該ロッドの該軸線方向における該ピストンとの接触面の反対面において、該反対面に略垂直に穿孔形成された一対の縦穴部、及び、該一対の縦穴部の間を連通する面状の空洞として形成された連結部からなる長穴と、該緩み止めナットの外周面と該長穴の該連結部とを連通するように筒状に穿孔されるとともに、該筒状の孔壁に雌ねじ溝を形成された雌ねじ穴と、該雌ねじ溝に螺合する雄ねじ溝を外周面に有して該雌ねじ穴に締結される固定部材とを備えたことを特徴としている。
【発明の効果】
【００１４】
本発明の緩み止めナット（請求項１）によれば、固定部材を雌ねじ穴へ締結することで連結部の壁面へ作用する締結力を、連結部の両端に形成された一対の縦穴部の孔壁へ分散させることができる。これにより、長穴内における局所的な応力集中を抑制することができ、連結部の壁面及び緩み止めナットのねじ溝面（内周面）間を容易に弾性変形させることが可能となる。
【００１５】
このように、金属の弾性変形によって緩み止めを行っているため、温度や経時的な緩み止めトルクの低下を防ぐことができ、安定した緩み止め効果を得ることができる。また、構成が簡素であり加工が容易であるため、従来の緩み止めナットに対する適用性が高く、コストを削減することができる。
また、固定部材が雌ねじ穴に締結されるようになっているため、本緩み止めナットの弾性変形の度合いを、固定部材の雌ねじ穴に対する締結トルクを調節することによって比較的容易に最適化することができる。つまり、緩み止めのために必要なトルクの調節が容易である。なお、例えばナイロンナットを使用する場合と比較すると、締結時にコンタミが発生するおそれがない点も評価できる。
【００１６】
また、本発明の緩み止めナット（請求項２）によれば、縦穴部の断面形状が略円形となっているため、連結部と壁面を介して縦穴部の孔壁へ作用する応力を効率的に分散させることができる。つまり応力集中による部分的な塑性変形をさらに抑制することができ、緩み止めナットをより容易に弾性変形させることができる。
また、本発明の緩み止めナット（請求項３）によれば、緩み止めナットのねじ溝面に複数箇所で弾性変形させることができ、緩み止め効果を高めることができる。
【００１７】
また、本発明の緩み止めナット（請求項４）によれば、被固定体との接触面の反対面近傍では、緩み止めナットのねじ溝面と軸部材の外周面との間に作用する接触応力が小さいため、このような位置に雌ねじ穴を設けることによって、軸部材の中心軸方向における応力集中を緩和することができる。
また、本発明の緩み止めナット（請求項５）によれば、シリンダ内部が高温，高圧となりうる流体圧シリンダにおいて、安定した緩み止め効果を得ることができ、流体圧シリンダの性能を高めることができる。
【発明を実施するための最良の形態】
【００１８】
以下、図面により、本発明の実施の形態について説明する。
図１〜図４は本発明の一実施形態にかかる緩み止めナットを説明するものであり、図１はその緩み止めナットの三面図であり、（ａ）は上面図、（ｂ）は正面図、（ｃ）は側面図、図２は本緩み止めナットが締結された油圧シリンダの断面図、図３は本緩み止めナットの断面図（図２のＢ−Ｂ断面図）、図４は本緩み止めナットの締結によるロッドとの接触面の応力分布を示す図である。
【００１９】
なお、本緩み止めナットは、図６に示す従来の油圧シリンダ１０に対し、ナイロンナット９の代わりに適用されており、前述の従来のものと同一の構成要素については同一の符号を用いて説明する。
【００２０】
［構成］
（１．全体構成）
本油圧シリンダ１０は、図６に示すように、内部に作動油（作動流体）が充填された中空円筒状のシリンダ８と、シリンダ８の軸線方向（以下、単に軸方向という）に沿ってシリンダ８の外部から内部へ挿通された軸状のピストンロッド（以下、単にロッドと呼ぶ）７とを備えている。ロッド７は、シリンダ８内の作動油圧に応じた駆動力をシリンダ８の外部へ伝達するための部材である。
【００２１】
シリンダ８の内部側に位置するロッド７の一端部には、図２に示すように、ロッド７の外周面に対して段差７ｂを有して縮径された形状の縮径部７ｃと、縮径部７ｃよりもさらに端部側に隣接して螺旋状のねじ溝が形成されたねじ溝面７ａとが形成されている。縮径部７ｃの外周面は平滑な円筒面として形成されている。また、ねじ溝面７ａの最外径（ねじ山の高さを含んだ最大の外径）は、縮径部７ｃの外径と同一又は縮径部７ｃよりも小径となっている。
【００２２】
ロッド７の縮径部７ｃには、筒状のピストン６が環装されている。このピストン６の外周面はシリンダ８の内周面８ａに摺接し、シリンダ８の内周面は縮径部７ｃの外周面に環装されている。なお、ピストン６の外周面には、シリンダ８の内部の空間をピストン６の摺動方向に対して二分割するためのシールリングが環装されている。これにより、ピストン６の外周面側における作動油の流通が封止されるようになっている。
【００２３】
ピストン６よりもロッド７の先端側には、本発明に係る緩み止めナット５が締結されている。この緩み止めナット５の内周には、ロッド７に螺合するねじ溝面４が形成されており、これらの螺合により緩み止めナット５がロッド７に締結固定される。また、緩み止めナット５は、図２に示すようにピストン６の端面に当接した状態で締結されており、ピストン６をロッド７の軸方向へ押圧しながら、ピストン６をロッド７の段差７ｂとの間で挟むように固定する。以下、緩み止めナット５のうちのピストン６との接触面を５ａとし、反対側の端面を５ｂとして説明する。
【００２４】
（２．緩み止めナットの構成）
締結前の緩み止めナット５を分解した状態での三面図を図１（ａ）〜（ｃ）に示す。緩み止めナット５の端面５ｂ側には、接触面５ａ方向へ向けてダンベル状の長穴１が形成されている。ダンベル状とは両端部が膨らんだ棒形状のことをいう。ここでは、図１（ｂ）に示すように、ロッド７の中心軸Ｃに対して垂直な断面の形状がダンベル状となるように、緩み止めナット５の端面５ｂ側に加工が施されている。
【００２５】
この長穴１は、端面５ｂに形成された二つの縦穴部１ａ，１ａと、二つの縦穴部１ａ，１ａ同士を連通する面状の空洞として形成された連結部１ｂとから構成されている。
二つの縦穴部１ａ，１ａは、端面５ｂ側からロッド７の中心軸Ｃと略並行に穿孔された穴であり、ともに略円形の穴形状となっている。また、これらの縦穴部１ａ，１ａは、図１（ｂ）に示すように、正面視においてロッド７の中心軸Ｃに対し略等距離となる位置に形成されている。なお、縦穴部１ａ，１ａの端面５ｂからの穿孔深さは任意であるが、ここでは図１（ａ）に示すように、後述する雌ねじ穴２の口径よりも大きい所定長に設定されている。
【００２６】
一方、連結部１ｂは、二つの縦穴部１ａ，１ａの孔芯同士を連結する平面状に切削形成されている。ここでは、二つの縦穴部１ａ，１ａの孔芯がともにロッド７の中心軸Ｃに並行であるから、図１（ｃ）に示すように、連結部１ｂもロッド７の中心軸Ｃに略並行な平面形状（スリット形状）となる。ここで、連結部１ｂの形状を互いに平行な二平面によって形成されるものと捉えて、これらの二平面のうち、緩み止めナット５の内周面側の平面を以下、平滑面１ｃという。なお、二つの縦穴部１ａ，１ａと同様に、連結部１ｂの端面５ｂからの切削深さについても任意であるが、ここでは縦穴部１ａ，１ａの穿孔深さと同一の所定長に設定されている。
【００２７】
また、緩み止めナット５の外周面側から連結部１ｂの平滑面１ｃへ向けて略垂直に、筒状の雌ねじ穴２が穿孔されている。この雌ねじ穴２の孔壁（内周面）には、雌ねじ溝２ａがタップ加工（ねじ溝の螺刻加工）されている。なおここでは、図１（ａ）〜（ｃ）に示すように、緩み止めナット５の外周面が雌ねじ穴２に対して垂直となるように、部分的に切除されている。この雌ねじ穴２は、セットスクリュー（固定部材）３を締結するための穴である。
【００２８】
セットスクリュー３の外周面には、雌ねじ部２の内周面の雌ねじ溝２ａと螺合する雄ねじ溝３ａが形成されている。また、このセットスクリュー３は、下端部を平滑面１ｃに当接（底付き）させた状態で、予め設定された所定のトルクで締結されるようになっている。所定のトルクの大きさは、緩み止めナット５のねじ溝面４と連結部１ｂの平滑面１ｃとの間の薄肉部分が弾性変形し、かつ、塑性変形しない程度の大きさに設定されている。なお、セットスクリュー３の頭部（雌ねじ部２に締結されたときに緩み止めナット５の外周面側となる一端）には、六角レンチ等を用いて締結するための六角柱状穴が形成されている。
【００２９】
［作用］
本緩み止めナット５は、以下のように加工される。まず、緩み止めナット５の端面５ｂに、ロッド７の中心軸Ｃに対して略等距離となる２点にけがきがなされ、穴あけ工具を用いて、緩み止めナット５の端面５ｂ側からピストン６との接触面５ａ方向へ向けて、二つの縦穴部１ａ，１ａが穿孔される。このとき、穿孔深さは所定長であり、穿孔方向はロッド７の中心軸Ｃと略並行である。
【００３０】
続いて、切削工具を用いて、二つの縦穴部１ａ，１ａの孔芯同士を連通するように、かつ、ロッド７の中心軸Ｃに対して略並行に、連結部１ｂが切削形成される。これにより、図１（ａ）〜（ｃ）に示すように、ロッド７の中心軸Ｃに垂直な断面の形状が、二つの縦穴部１ａ，１ａを両端とするダンベル状の長穴１として形成される。このとき、連結部１ｂの平滑面１ｃと緩み止めナット５のねじ溝面４との間には薄肉のたわみやすい部分が形成されることになる。
【００３１】
さらに、穴あけ工具を用いて、緩み止めナット５の外周面側から平滑面１ｃへ向けて略垂直に雌ねじ穴２が穿孔され、その孔壁がタップ加工される。これにより、緩み止めナット５の加工が完了する。
上記のように加工された緩み止めナット５は、図２に示すように、縮径部７ｃに環装されたピストン６を固定すべく、ロッド７に締結される。なお、緩み止めナット５の接触面５ａはピストン６の端面に当接した状態とされ、予め設定された所定のトルクで締め付けられる。このとき、緩み止めナット５のねじ溝面４とロッド７のねじ溝面７ａとの間に作用する応力の大きさは、図４に示すように、ピストン６側に近いほど大きくなる。つまり、緩み止めナット５とロッド７との接触圧力は、緩み止めナット５の接触面５ａほど大きく、反対側の端面５ｂほど小さい。なお、図４では、緩み止めナット５とロッド７との接触面における応力の大きさとその方向が同時に示されている。
【００３２】
緩み止めナット５のロッド７への締結が完了すると、セットスクリュー３と雌ねじ穴２との間に緩み止め用の接着剤が塗布され、雌ねじ穴２の内部にセットスクリュー３がねじ込まれる。セットスクリュー３は、図３に示すように、その下端部が平滑面１ｃに底付きするように締結され、その後所定の大きさのトルクで締め上げられる。これにより、平滑面１ｃに対して図３中下方への押付力が作用し、緩み止めナット５のねじ溝面４と平滑面１ｃとの間の薄肉部分が弾性変形する。なお、セットスクリュー３と雌ねじ穴２との間でカシメを行ってセットスクリュー３自体の雌ねじ穴２に対する緩みを防止してもよい。
【００３３】
［効果］
このように、本緩み止めナット５によれば、緩み止めナット５のねじ溝面４と連結部１ｂの平滑面１ｃとの間の薄肉部分が弾性変形するため、ねじ溝面４を内側へ締め付けることができる。したがって、端面５ｂ近傍における緩み止めナット５とロッド７との接触圧力を上昇させることができ、緩み止め効果を高めることができる。また、緩み止めナット５のねじ溝面４における端面５ｂ側が弾性変形するため、端面５ｂ近傍における緩み止めナット５とロッド７との接触圧力を上昇させることができる。
【００３４】
すなわち、緩み止めナット５をロッド７に対して締結したときには、図４に示すように、緩み止めナット５のねじ溝面４とロッド７のねじ溝面７ａとの間に作用する応力の大きさがピストン６側に近いほど大きくなる。そこで本緩み止めナット５では、このような緩み止めナット５とロッド７との接触圧力の集中を避けるべく、端面５ｂ近傍で弾性変形を生じさせているのである。これにより、緩み止めナット５の緩み止め効果を高めることができる。
【００３５】
また、本緩み止めナット５の長穴１は、その両端に断面形状が略円形の縦穴部１ａ，１ａを持つダンベル状に形成されているため、連結部１ｂの平滑面１ｃへ作用するセットスクリュー３の押付力を、円弧形状の縦穴部１ａ，１ａの内表面へ効果的に分散させることができる。これにより、セットスクリュー３の押付力の集中による長穴１表面での塑性変形を抑制することができ、セットスクリュー３の押付力を安定して維持することができるようになる。なお、縦穴部１ａ，１ａを設けることにより、平滑面１ｃのたわみ量を大きくすることもできる。
【００３６】
また、本緩み止めナット５では、金属の弾性変形によって緩み止めを行っているため、例えば作動油温の変化や時間経過による締結トルクの低下を防ぐことができ、安定した緩み止め効果を得ることができる。また、構成が簡素であり加工が容易であるため、従来の緩み止めナットに対する適用性が高く、コストを削減できる。
さらに、雌ねじ穴２に締結されるセットスクリュー３の締結トルクの大きさを制御することで、緩み止めナット５の弾性変形の度合いを容易に調節することができる。つまり、緩み止めのために必要なトルクの調節が容易である。なお、緩み止めナット５自身は塑性変形しないため、分解後の再利用も可能である。
【００３７】
なお、従来のナイロン等の弾性を利用した緩み止めナットと比較すると、ナイロンの切削によるコンタミが発生するおそれがなく、作動油の品質に与える影響を小さくすることができるという効果もある。
【００３８】
［その他］
以上、本発明の実施形態について説明したが、本発明はこれらの実施形態に限定されるものではなく、本発明の趣旨を逸脱しない範囲で種々変形して実施することができる。
例えば上述の実施形態では、緩み止めナット５の端面５ｂに、長穴１及び雌ねじ穴２が一つずつ設けられているものが例示されているが、セットスクリュー３を締め付けるためのこれらの穴を複数組設けることも考えられる。
【００３９】
例えば、図５（ａ）に示すように、ロッド７の中心軸Ｃの反対側の位置にも長穴と雌ねじ穴とを設けて、ロッド７を二方向から挟みこむようにセットスクリューを締め付けてもよい。また、図５（ｂ）に示すように、ロッド７の中心軸Ｃを中心として１２０°ずつ回転させた位置に同様の長穴，雌ねじ部を設けてもよい。このように弾性変形する部位の数を増やすことにより、さらに緩み止め効果を高めることができる。
【００４０】
また、上述の実施形態では、縦穴部１ａ，１ａが略円形の穴形状に形成されているが、セットスクリュー３による平滑面１ｃへ押付力の作用時において応力が集中しない形状であれば、楕円形状やその他の曲線形状であってもよい。なお、加工性を考慮すれば、適当な大きさの円弧形状であることが好ましい。
また、上述の実施形態では、連結部１ｂの形状が二つの縦穴部１ａ，１ａ同士を連通する平面スリットとして形成されているが、必ずしも平面である必要はなく、曲面によって囲まれた空洞として形成してもよいし、より複雑な面形状としてもよい。例えば、セットスクリュー３から平滑面１ｃとねじ溝面４との間の薄肉部分へ作用する応力の分布や、薄肉部分の弾性変形量等に応じて適宜設定することが考えられる。
【００４１】
なお、上述の実施形態では、作業機械の油圧シリンダ１０に対して本緩み止めナットを適用したものを例示したが、本発明は、ボルト，ロッド等の軸部材に固定されるナット，ピストン等の被固定体の緩み止めを行う用途で、様々な装置や機械に適用することが可能である。
【図面の簡単な説明】
【００４２】
【図１】本発明の一実施形態としての緩み止めナットの三面図であり、（ａ）は上面図、（ｂ）は正面図、（ｃ）は側面図である。
【図２】本緩み止めナットが締結された油圧シリンダの断面図である。
【図３】本緩み止めナットの断面図（図２のＢ−Ｂ断面図）である。
【図４】本緩み止めナットの締結によるロッドとの接触面の応力分布を示す図である。
【図５】本発明の変形例としての緩み止めナットの正面図であり、（ａ）は長穴及び雌ねじ穴が２組あるもの、（ｂ）は長穴及び雌ねじ穴が３組あるものを示す。
【図６】従来の油圧シリンダを部分的に切断して示す斜視図である。
【図７】従来の緩み止めナットの構成を示す断面図（図６の破線円部分の拡大断面図）である。
【図８】ナイロン素材の物性を説明するためのグラフであり、（ａ）は曲げ弾性率と温度との関係を示し、（ｂ）は経時的なクリープ特性を示す。
【符号の説明】
【００４３】
１  長穴
１ａ  縦穴部（一対の縦穴部）
１ｂ  連結部
１ｃ  平滑面
２  雌ねじ穴
２ａ  雌ねじ溝
３  セットスクリュー（固定部材）
３ａ  雄ねじ溝
４  ねじ溝面
５  緩み止めナット
５ａ  接触面
５ｂ  端面
６  ピストン（被固定体）
７  ピストンロッド（ロッド，軸部材）
７ａ  ねじ溝
７ｂ  段差
７ｃ  縮径部
８  シリンダ
８ａ  内周面
９  ナイロンナット
９ａ  金属部
９ｂ  内溝
９ｃ  ナイロン部
１０  油圧シリンダ
【図１】
2007232037.tif 000003
【図２】
2007232037.tif 000004
【図３】
2007232037.tif 000005
【図４】
2007232037.tif 000006
【図５】
2007232037.tif 000007
【図６】
2007232037.tif 000008
【図７】
2007232037.tif 000009
【図８】
2007232037.tif 000010